(57)【要約】【課題】光源ランプのランプ切れを生じたとしても光源ランプの総点灯時間を確実に報知し得るプロジェクタを提供する。【解決手段】光源ランプ１７の総点灯時間に対応させて予め規定された複数種類の発光パターンを示すパターンデータＤｐを記憶するパターン記憶部１８と、光源ランプ１７の総点灯時間を示す総点灯時間データＤｔを記憶する総点灯時間記憶部１９と、ＬＥＤ２０と、複数種類の発光パターンに従ってＬＥＤ２０を発光させる制御処理を実行する主制御部２１とを備えている。【選択図】図１
2007079089.tif 000002
【特許請求の範囲】
【請求項１】
光源ランプと、前記光源ランプの総点灯時間を記憶する記憶部と、発光部と、前記総点灯時間に対応させて予め規定された複数種類の発光パターンに従って前記発光部を発光させる制御処理を実行する制御部とを備えているプロジェクタ。
【請求項２】
前記発光部は当該プロジェクタの動作状態を報知するインジケータで構成されている請求項１記載のプロジェクタ。
【請求項３】
光源ランプと、前記光源ランプの総点灯時間を記憶する記憶部と、音声出力部と、前記総点灯時間に対応させて予め規定された複数種類の音声出力パターンに従って前記音声出力部に音声を出力させる制御処理を実行する制御部とを備えているプロジェクタ。
【請求項４】
前記制御部は、前記光源ランプがランプ切れしたときに前記制御処理を実行する請求項１から３のいずれかに記載のプロジェクタ。
【請求項５】
前記制御部は、所定の操作が行われたときに前記制御処理を実行する請求項１から３のいずれかに記載のプロジェクタ。
【発明の詳細な説明】
【技術分野】
【０００１】
本発明は、光源ランプの総点灯時間を報知可能なプロジェクタに関するものである。
【背景技術】
【０００２】
この種のプロジェクタとして、特開２００１−３５６４１６号公報に開示されたプロジェクタが知られている。このプロジェクタは、その使用の開始および終了の際に、ＯＳＤ画面表示によって光源ランプ使用時間をユーザに報知するように構成されている。
【特許文献１】特開２００１−３５６４１６号公報（第３頁、第１図）
【発明の開示】
【発明が解決しようとする課題】
【０００３】
ところが、上記のプロジェクタには、以下の問題点がある。すなわち、このプロジェクタでは、ＯＳＤ画面表示によって光源ランプ使用時間をユーザに報知している。このため、光源ランプ切れが生じた際には、光源ランプ使用時間を表示したＯＳＤ画面の表示ができなくなる結果、光源ランプの総点灯時間をユーザに報知することができなくなる。したがって、例えば、光源ランプ切れを生じた光源ランプが製品保証範囲内の使用時間（総点灯時間）でランプ切れしたか否かを確認することが困難となる。このように、従来のプロジェクタには、ランプ切れ時に光源ランプ使用時間（総点灯時間）を報知することができないことに起因して各種の不都合を生じるという問題点がある。
【０００４】
本発明は、かかる問題点に鑑みてなされたものであり、光源ランプのランプ切れを生じたとしても光源ランプの総点灯時間を確実に報知し得るプロジェクタを提供することを主目的とする。
【課題を解決するための手段】
【０００５】
上記目的を達成すべく本発明に係るプロジェクタは、光源ランプと、前記光源ランプの総点灯時間を記憶する記憶部と、発光部と、前記総点灯時間に対応させて予め規定された複数種類の発光パターンに従って前記発光部を発光させる制御処理を実行する制御部とを備えている。なお、本明細書における「複数種類の発光パターン」には、連続発光および不連続発光も含まれる。
【０００６】
このプロジェクタによれば、総点灯時間に対応させて予め規定された複数種類の発光パターンに従って制御部が発光部を発光させる制御処理を実行することにより、簡易な構成でありながら、光源ランプのランプ切れが生じたとしても光源ランプの総点灯時間を確実に報知することができる。これにより、このプロジェクタによれば、報知された総点灯時間に基づいてランプ切れが生じた時点における総点灯時間を確認することができる結果、例えば、ランプ切れした光源ランプが製品保証範囲内の総点灯時間でランプ切れしたか否かを確実かつ容易に判別することができる。
【０００７】
また、本発明に係るプロジェクタは、上記のプロジェクタにおいて、前記発光部が当該プロジェクタの動作状態を報知するインジケータで構成されている。
【０００８】
このプロジェクタによれば、発光部をプロジェクタの動作状態を報知するインジケータで構成したことにより、プロジェクタの動作状態と光源ランプの総点灯時間とを１つの発光部に報知させることができる。したがって、このプロジェクタによれば、専用の発光部を別個に設ける構成と比較して、総点灯時間を報知可能なプロジェクタを安価に提供することができる。
【０００９】
また、本発明に係るプロジェクタは、光源ランプと、前記光源ランプの総点灯時間を記憶する記憶部と、音声出力部と、前記総点灯時間に対応させて予め規定された複数種類の音声出力パターンに従って前記音声出力部に音声を出力させる制御処理を実行する制御部とを備えている。なお、本明細書における「複数種類の音声出力パターン」には、連続音および不連続音も含まれる。また、本明細書における「音声」には、人間の発する音声や、その音声に似せた疑似音のみならず、あらゆる音が含まれ、例えばビープ音のような機械的な音も含まれる。
【００１０】
このプロジェクタによれば、総点灯時間に対応させて予め規定された複数種類の音声出力パターンに従って制御部が音声出力部に音声を出力させる制御処理を実行することにより、簡易な構成でありながら、光源ランプのランプ切れが生じたとしても光源ランプの総点灯時間を確実に報知することができる。
【００１１】
また、本発明に係るプロジェクタは、上記のプロジェクタにおいて、前記制御部が、前記光源ランプがランプ切れしたときに前記制御処理を実行する。
【００１２】
このプロジェクタによれば、総点灯時間を報知させるための操作をすることなく、総点灯時間の報知が必要であると想定されるタイミングで総点灯時間を確実に報知することができる。
【００１３】
また、本発明に係るプロジェクタは、上記のプロジェクタにおいて、前記制御部が、所定の操作が行われたときに前記制御処理を実行する。
【００１４】
このプロジェクタによれば、簡易な構成でありながら、ユーザの所望する時点での総点灯時間を報知することができる。したがって、総点灯時間が報知されることにより、ユーザは光源ランプの寿命が近づいているかを判別することができる。これにより、光源ランプがランプ切れする前に、ユーザに対して光源ランプの交換を促すことができる。
【発明を実施するための最良の形態】
【００１５】
以下、本発明に係るプロジェクタの最良の形態について、添付図面を参照して説明する。図１に示すプロジェクションテレビ（以下、単に「テレビ」ともいう）１は、本発明に係るプロジェクタの一例であって、テレビ画面等の各種映像を表示可能に構成されている。また、このテレビ１は、チューナ１１、映像音声処理部１２、映像表示部１３、音声出力部１４、スイッチ操作処理部１５、光源ランプ駆動制御部１６、光源ランプ１７、パターン記憶部１８、総点灯時間記憶部１９、発光部としてのＬＥＤ２０および主制御部２１を備えて構成されている。チューナ１１は、図外のアンテナで受信している放送信号Ｓｂを信号処理して映像音声データを生成して映像音声処理部１２に出力する。映像音声処理部１２は、チューナ１１から出力される映像音声データをデータ処理して映像データおよび音声データを生成し、その映像データおよび音声データを映像表示部１３および音声出力部１４にそれぞれ出力する。
【００１６】
映像表示部１３は、一例として、光学エンジンおよびスクリーンパネル等（図示せず）を備え、映像音声処理部１２から出力された映像データに基づく各種映像を表示する。具体的には、映像表示部１３は、出力された映像データに基づいて光源ランプ１７からの投射光Ｌを光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて光源ランプ１７を光源として機能するように構成されている。音声出力部１４は、映像音声処理部１２から出力された音声データをＤ／Ａ変換して増幅することにより、図示しないスピーカから音声データに基づく音声を出力する。
【００１７】
スイッチ操作処理部１５は、リモコン（図示せず）からの各種操作信号の出力を監視して、出力された操作信号に対応する信号を主制御部２１に出力する。光源ランプ駆動制御部１６は、主制御部２１の制御に従い、光源ランプ１７を点灯させるための光源ランプ駆動パルスＳｐを生成して光源ランプ１７に供給する。また、光源ランプ駆動制御部１６は、この光源ランプ駆動パルスＳｐを供給しているときには、光源ランプ１７の総点灯時間ｔを計時させるための出力信号Ｓｔを主制御部２１に出力し続ける。さらに、光源ランプ駆動制御部１６は、光源ランプ駆動パルスＳｐの出力を監視することによって光源ランプ１７のランプ切れを検出可能に構成され、ランプ切れを検出したときに検出信号Ｓｄを主制御部２１に出力する。光源ランプ１７は、本発明における光源ランプに相当し、一例としてメタルハライドランプや高圧水銀ランプで構成されている。この場合、光源ランプ１７は、光源ランプ駆動制御部１６から供給される光源ランプ駆動パルスＳｐによって点灯させられて、白色の投射光Ｌを映像表示部１３に向けて射出する。
【００１８】
パターン記憶部１８は、光源ランプ１７の総点灯時間ｔに対応させて予め規定された複数種類（本例では５種類）の発光パターンＰ１〜Ｐ５を示すパターンデータＤｐを記憶する。これらの発光パターンＰ１〜Ｐ５（以下、区別しないときには単に「発光パターンＰ」ともいう）は、図２に示すように、ＬＥＤ２０を点灯および消灯させる回数や時間の組み合わせが互いに相違するように予め規定されている。この場合、発光パターンＰ１は、０時間以上２０００時間未満の範囲内の総点灯時間ｔに対応付けられ、発光パターンＰ２は、２０００時間以上４０００時間未満の範囲内の総点灯時間ｔに対応付けられ、発光パターンＰ３は、４０００時間以上６０００時間未満の範囲内の総点灯時間ｔに対応付けられ、発光パターンＰ４は、６０００時間以上８０００時間未満の範囲内の総点灯時間ｔに対応付けられている。また、発光パターンＰ５は、８０００時間以上の総点灯時間ｔに対応付けられている。この場合、第１の発光パターンＰ１は、最初に長めの時間ｔ１でＬＥＤ２０を発光させ、次いで、短い時間ｔ２でＬＥＤ２０を消灯させると共にやや長めの時間ｔ３でＬＥＤ２０を発光させるように規定されている。なお、以下、ＬＥＤ２０に対して時間ｔ１で発光させる処理を「第１の処理」ともいい、ＬＥＤ２０に対して時間ｔ２でＬＥＤ２０を消灯させると共に時間ｔ３でＬＥＤ２０を発光させる処理を「第２の処理」ともいう。第２の発光パターンＰ２は、最初に、第１の処理を実行し、次いで、第２の処理を２回実行するように規定されている。第３の発光パターンＰ３は、最初に、第１の処理を実行し、次いで、第２の処理を３回実行するように規定されている。第４の発光パターンＰ４は、最初に、第１の処理を実行し、次いで、第２の処理を４回実行するように規定されている。また、第５の発光パターンＰ５は、時間ｔ１よりも長めの時間ｔ４でＬＥＤ２０を連続発光させるように規定されている。
【００１９】
総点灯時間記憶部１９は、主制御部２１の制御に従い、光源ランプ１７の総点灯時間ｔを示す総点灯時間データＤｔを記憶する。一方、ＬＥＤ２０は、電源の投入状態や光源ランプ１７の点灯状態など（本発明における「プロジェクタの動作状態の一例」）を表示するためのインジケータであって、主制御部２１の制御に従って発光させられてテレビ１の動作状態を報知する。また、ＬＥＤ２０は、主制御部２１の制御に従い、本発明における発光部として機能して、発光パターンＰ１〜Ｐ５のうちのいずれかの発光パターンＰで発光させられる。
【００２０】
主制御部２１は、光源ランプ駆動制御部１６と相俟って本発明における制御部を構成し、光源ランプ１７がランプ切れしたときに、図３に示す総点灯時間報知処理３０（本発明における制御処理）を実行する。この場合、主制御部２１は、図２に示すように、総点灯時間ｔに対応させて予め規定された５種類の発光パターンＰ１〜Ｐ５に従ってＬＥＤ２０を発光させて総点灯時間ｔを報知する。また、主制御部２１は、光源ランプ駆動制御部１６からの出力信号Ｓｔの出力が開始されたときには、総点灯時間記憶部１９から総点灯時間データＤｔを読み込むと共に、出力信号Ｓｔが出力されている時間をカウントすることによって電源投入時からの光源ランプ１７の点灯時間の計時を開始する。この場合、主制御部２１は、総点灯時間データＤｔの示す総点灯時間ｔと計時した点灯時間とを加算してその時点までの光源ランプ１７の総点灯時間ｔを算出して総点灯時間データＤｔとして定期的に総点灯時間記憶部１９に記憶させる。
【００２１】
次に、テレビ１の全体的な動作について、図面を参照して説明する。このテレビ１では、例えばテレビ画面等を表示している際に光源ランプ１７がランプ切れしたときには、光源ランプ駆動制御部１６がそのランプ切れを検出して検出信号Ｓｄを主制御部２１に出力する。この際に、主制御部２１は、図３に示す総点灯時間報知処理３０を実行する。この総点灯時間報知処理３０では、主制御部２１は、まず、総点灯時間データＤｔを総点灯時間記憶部１９から読み込み、読み込んだ総点灯時間データＤｔに基づいてランプ切れが生じた時点における総点灯時間ｔを特定する（ステップ３１）。次いで、主制御部２１は、特定した総点灯時間ｔが２０００時間未満であるか否かを判別し（ステップ３２）、総点灯時間ｔが２０００時間未満のときには、パターンデータＤｐとして図２に示す第１の発光パターンＰ１を読み込む（ステップ３３）。続いて、主制御部２１は、第１の発光パターンＰ１に従ってＬＥＤ２０を発光させる発光制御処理を実行する（ステップ３４）。具体的には、主制御部２１は、上記した第１の処理を実行した後に第２の処理を実行する。以上により、主制御部２１は、総点灯時間報知処理３０を終了する。この際に、ＬＥＤ２０が第１の発光パターンＰ１に従って発光することにより、ランプ切れした光源ランプ１７の総点灯時間ｔが２０００時間未満であることが報知される。
【００２２】
一方、ステップ３１において特定した総点灯時間ｔが２０００時間以上４０００時間未満の範囲内のときには、主制御部２１は、ステップ３２において総点灯時間ｔが２０００時間未満ではないと判別すると共に、ステップ３５において総点灯時間ｔが４０００時間未満であると判別する。次いで、主制御部２１は、図２に示す第２の発光パターンＰ２を読み込む（ステップ３６）。続いて、主制御部２１は、第２の発光パターンＰ２に従ってＬＥＤ２０を発光させる発光制御処理を実行する（ステップ３４）。具体的には、主制御部２１は、第１の処理を実行した後に第２の処理を２回実行する。以上により、主制御部２１は、総点灯時間報知処理３０を終了する。この際に、ＬＥＤ２０が第２の発光パターンＰ２に従って発光することにより、ランプ切れした光源ランプ１７の総点灯時間ｔが２０００時間以上４０００時間未満の範囲内であることが報知される。また、ステップ３１において特定した総点灯時間ｔが４０００時間以上６０００時間未満の範囲内のときには、主制御部２１は、ステップ３５において総点灯時間ｔが４０００時間未満ではないと判別すると共に、ステップ３７において総点灯時間ｔが６０００時間未満であると判別する。次いで、主制御部２１は、図２に示す第３の発光パターンＰ３を読み込む（ステップ３８）。続いて、主制御部２１は、第３の発光パターンＰ３に従ってＬＥＤ２０を発光させる発光制御処理を実行する（ステップ３４）。具体的には、主制御部２１は、第１の処理を実行した後に第２の処理を３回実行する。以上により、主制御部２１は、総点灯時間報知処理３０を終了する。この際に、ＬＥＤ２０が第３の発光パターンＰ３に従って発光することにより、ランプ切れした光源ランプ１７の総点灯時間ｔが４０００時間以上６０００時間未満の範囲内であることが報知される。
【００２３】
また、ステップ３１において特定した総点灯時間ｔが６０００時間以上８０００時間未満の範囲内のときには、主制御部２１は、ステップ３７において総点灯時間ｔが６０００時間未満ではないと判別すると共に、ステップ３９において総点灯時間ｔが８０００時間未満であると判別する。次いで、主制御部２１は、図２に示す第４の発光パターンＰ４を読み込む（ステップ４０）。続いて、主制御部２１は、第４の発光パターンＰ４に従ってＬＥＤ２０を発光させる発光制御処理を実行する（ステップ３４）。具体的には、主制御部２１は、第１の処理を実行した後に第２の処理を４回実行する。以上により、主制御部２１は、総点灯時間報知処理３０を終了する。この際に、ＬＥＤ２０が第４の発光パターンＰ４に従って発光することにより、ランプ切れした光源ランプ１７の総点灯時間ｔが６０００時間以上８０００時間未満の範囲内であることが報知される。また、総点灯時間ｔが８０００時間以上のときには、主制御部２１は、ステップ３９において総点灯時間ｔが８０００時間未満ではないと判別し、図２に示す第５の発光パターンＰ５を読み込む（ステップ４１）。次いで、主制御部２１は、第５の発光パターンＰ５に従ってＬＥＤ２０を発光させる発光制御処理を実行する（ステップ３４）。具体的には、主制御部２１は、上記した時間ｔ４でＬＥＤ２０を連続発光させる。以上により、主制御部２１は、総点灯時間報知処理３０を終了する。この際に、ＬＥＤ２０が第５の発光パターンＰ５に従って発光することにより、ランプ切れした光源ランプ１７の総点灯時間ｔが８０００時間以上であることが報知される。
【００２４】
このように、このテレビ１によれば、総点灯時間ｔに対応させて予め規定された５種類の発光パターンＰ１〜Ｐ５に従って主制御部２１がＬＥＤ２０を発光させることにより、簡易な構成でありながら、光源ランプ１７のランプ切れが生じたとしても光源ランプ１７の総点灯時間ｔを確実に報知することができる。これにより、このテレビ１によれば、報知された総点灯時間ｔに基づいてランプ切れが生じた時点における総点灯時間ｔを確認することができる結果、例えば、ランプ切れした光源ランプ１７が製品保証範囲内の総点灯時間でランプ切れしたか否かを確実かつ容易に判別することができる。
【００２５】
また、このテレビ１によれば、ＬＥＤ２０をテレビ１の動作状態を報知するインジケータで構成したことにより、テレビ１の動作状態と光源ランプ１７の総点灯時間ｔとを１つのＬＥＤ２０によって報知させることができる。したがって、このテレビ１によれば、専用のＬＥＤを別個に設ける構成と比較して、総点灯時間ｔを報知可能なテレビ１を安価に提供することができる。さらに、このテレビ１によれば、光源ランプ１７がランプ切れしたときにＬＥＤ２０を発光させることにより、総点灯時間ｔを報知させるための操作をすることなく、総点灯時間ｔの報知が必要であると想定されるタイミングで総点灯時間ｔを確実に報知することができる。
【００２６】
なお、本発明は、上記の構成に限定されない。例えば、ＬＥＤ２０の発光制御に代えて、音声出力部１４による音声出力を制御して総点灯時間ｔを報知する構成を採用することもできる。この構成では、主制御部２１が、総点灯時間ｔに対応させて予め規定された複数種類の音声出力パターン（例えば、上記した５種類の発光パターンＰ１〜Ｐ５における第１の処理時において時間ｔ１で音声を出力し、第２の処理時において時間ｔ２で消音させると共に時間ｔ３で音声を出力するパターン）に従って音声出力部１４に音声（例えば、ビープ音）を出力させて総点灯時間ｔを報知する。この構成によれば、ＬＥＤ２０の発光を制御する構成と同様の効果を奏することができる。
【００２７】
また、本例では光源ランプ１７がランプ切れしたときに主制御部２１が総点灯時間報知処理３０を実行する構成について説明したが、本発明はこれに限定されない。例えば、リモコン操作などの所定の操作（総点灯時間ｔを報知させる操作や画面表示のオンオフ操作など）が行われたときに主制御部２１が総点灯時間報知処理３０を実行する構成を採用することもできる。この構成によれば、簡易な構成でありながら、ランプ切れ前におけるユーザの所望する時点での総点灯時間ｔを報知することができる。したがって、総点灯時間ｔが報知されることにより、ユーザは光源ランプ１７の寿命が近づいているかを判別することができる。これにより、光源ランプ１７がランプ切れする前に、ユーザに対して光源ランプ１７の交換を促すことができる。
【００２８】
また、本例では５つの発光パターンＰ１〜Ｐ５を規定したが、発光パターンＰの種類については任意の数に規定することができる。例えば、メーカーによる保証期間の経過有無を判別すべく２種類の発光パターンのみを規定してもよいし、想定されている光源ランプ１７の寿命の経過有無を判別すべく２種類の発光パターンのみを規定してもよい。この構成によれば、より簡易な構成でありながら上記した構成と同様の効果を奏することができる。さらに、本発明における制御部の機能を光源ランプ駆動制御部１６および主制御部２１によって実現する構成について説明したが、１つの制御部が光源ランプ駆動制御部１６および主制御部２１の各機能を実行する構成を採用することができる。
【図面の簡単な説明】
【００２９】
【図１】テレビ１の構成を示すブロック図である。
【図２】５つのパターンＰ１〜Ｐ５の一例を示す概念図である。
【図３】総点灯時間報知処理３０のフローチャートである。
【符号の説明】
【００３０】
１  プロジェクションテレビ、１１  チューナ、１２  映像音声処理部、１３  映像表示部、１４  音声出力部、１５  スイッチ操作処理部、１６  光源ランプ駆動制御部、１７  光源ランプ、１８  パターン記憶部、１９  総点灯時間記憶部、２０  ＬＥＤ、２１  主制御部、３０  総点灯時間報知処理、Ｌ  投射光、Ｐ１〜Ｐ５  発光パターン、Ｓｂ  放送信号、Ｓｄ  検出信号、Ｓｐ  光源ランプ駆動パルス、Ｓｔ  出力信号、ｔ  総点灯時間、ｔ１〜ｔ４  時間
【図１】
2007079089.tif 000003
【図２】
2007079089.tif 000004
【図３】
2007079089.tif 000005